(57)【特許請求の範囲】
【請求項１】
デジタルテレビ受像装置から、視聴されている番組情報を取得する番組情報取得手段と、
前記デジタルテレビ受像装置から当該デジタルテレビ受像装置に予め設定されている、ユーザを特定するユーザ特定情報を取得するユーザ特定情報取得手段と、
前記番組情報取得手段で取得した番組情報で特定されるメタデータを取得するメタデータ取得手段と、
メタデータとマッチングするためのキーが設定された広告情報と、前記取得したメタデータとを、キーを用いてマッチングすることにより、前記取得したメタデータに対応する広告情報を検索する広告情報検索手段と、
前記検索した広告情報を、前記デジタルテレビ受像装置に設けられており、広告情報を放映する広告端末に送信する広告情報送信手段と、
前記デジタルテレビ受像装置から、前記送信した広告情報の選択を受け付ける広告選択受信手段と、
前記選択された広告情報が、特典情報であった場合、前記取得したユーザ特定情報と前記選択された特典情報とを対応付けて記憶する対応記憶手段と、
を具備したことを特徴とする広告装置。
【請求項２】
店舗に設置された店舗端末から、ユーザの購買活動を当該ユーザのユーザ特定情報に対応して記録したユーザの購買記録を取得する購買記録取得手段を具備したことを特徴とする請求項１記載の広告装置。
【請求項３】
前記ユーザ特定情報取得手段が取得するユーザ特定情報は、電子マネーの残高記憶手段を特定する電子マネー機能部ＩＤであることを特徴とする請求項２記載の広告装置。
【請求項４】
電子マネー機能部ＩＤをキーとして、前記取得した購買記録と、前記対応記憶手段で記憶した電子マネー機能部ＩＤと広告選択情報の対応を照合し、前記ユーザの購買活動が、前記記憶した広告選択情報で特定される広告内容で規定された購買活動であるか否かを判断する判断手段と、
前記判断手段において広告選択情報により特定される広告内容で規定された購買活動であると判断された場合、前記電子マネー機能部ＩＤで特定される残高記憶手段のバリュー残高を増額させる価値還元手段と、
を具備したことを特徴とする請求項３記載の広告装置。
【請求項５】
前記価値還元手段は、金額変更情報を前記電子マネー機能部ＩＤで特定される残高記憶手段に送信することで残高記憶手段に対してバリュー残高を増額させることを特徴とする請求項４記載の広告装置。
【請求項６】
前記取得したユーザの購買記録を記憶する購買記録記憶手段と、
前記検索した広告情報を、前記記憶した前記ユーザの購買記録を用いて絞り込む絞り込み手段と、
を具備し、
前記広告情報送信手段は、前記絞り込んだ広告情報を送信することを特徴とする請求項２に記載の広告装置。
【請求項７】
前記絞り込み手段が広告情報を絞り込むための優先順位が予め設定されていることを特徴とする請求項６記載の広告装置。
【請求項８】
前記ユーザ特定情報取得手段は、ユーザの住所に関する情報を取得し、
前記絞り込み手段が広告情報を絞り込む際、ユーザの住所に関する情報を用いて絞り込むことを特徴とする請求項６又は請求項７記載の広告装置。
【請求項９】
デジタルテレビ受像装置から、視聴されている番組情報を取得する番組情報取得ステップと、
前記デジタルテレビ受像装置から当該デジタルテレビ受像装置に予め設定されている、ユーザを特定するユーザ特定情報を取得するユーザ特定情報取得ステップと、
前記番組情報取得ステップで取得した番組情報で特定されるメタデータを取得するメタデータ取得ステップと、
メタデータとマッチングするためのキーが設定された広告情報と、前記メタデータ取得ステップで取得したメタデータとを、キーを用いてマッチングすることにより、前記メタデータ取得ステップで取得したメタデータに対応する広告情報を検索する広告情報検索ステップと、
前記広告情報検索ステップで検索した広告情報を、前記デジタルテレビ受像装置に設けられており、広告情報を放映する広告端末に送信する広告情報送信ステップと、
前記デジタルテレビ受像装置から、前記広告情報送信ステップで送信した広告情報の選択を受け付ける広告選択受信ステップと、
前記広告情報送信ステップで選択された広告情報が、特典情報であった場合、前記ユーザ特定情報取得ステップで取得したユーザ特定情報と前記広告選択受信ステップで選択された特典情報とを対応付けて記憶する対応記憶ステップと、
を具備したことを特徴とする広告方法。
【請求項１０】
デジタルテレビ受像装置から、視聴されている番組情報を取得する番組情報取得機能と、
前記デジタルテレビ受像装置から当該デジタルテレビ受像装置に予め設定されている、ユーザを特定するユーザ特定情報を取得するユーザ特定情報取得機能と、
前記番組情報取得機能で取得した番組情報で特定されるメタデータを取得するメタデータ取得機能と、
メタデータとマッチングするためのキーが設定された広告情報と、前記メタデータ取得機能で取得したメタデータとを、キーを用いてマッチングすることにより、前記メタデータ取得機能で取得したメタデータに対応する広告情報を検索する広告情報検索機能と、
前記広告情報検索機能で検索した広告情報を、前記デジタルテレビ受像装置に設けられており、広告情報を放映する広告端末に送信する広告情報送信機能と、
前記デジタルテレビ受像装置から、前記広告情報送信機能で送信した広告情報の選択を受け付ける広告選択受信機能と、
前記広告情報送信機能で選択された広告情報が、特典情報であった場合、前記ユーザ特定情報取得機能で取得したユーザ特定情報と前記広告選択受信機能で選択された特典情報とを対応付けて記憶する対応記憶機能と、
をコンピュータに実現させる広告プログラム。
【発明の詳細な説明】
【技術分野】
【０００１】
本発明は、広告装置、広告方法、広告端末、及び広告プログラムに関し、例えば、地上デジタル放送に対応して広告を配信するものに関する。
【背景技術】
【０００２】
近年、テレビ放送がアナログ方式から、地上デジタル放送と呼ばれるデジタル方式に移行しつつある。
アナログ放送では、テレビ受像器（以下、テレビ）はテレビ局から送られてきた放送波を受信してこれを受動的に再生するだけであったが、デジタル放送では、テレビをネットワークと接続することによりサーバなどとの通信が可能となる。
【０００３】
また、デジタル放送では、番組に対し、内容や出演者など、番組に関するメタデータが作成され、これを如何に活用するかが課題となっている。
このようなメタデータを用いた技術として、次の広告ディスプレーサービス方法がある。
【特許文献１】特開２００４−２６５３７５公報
【０００４】
この技術は、メタデータを利用して予め視聴者の趣向に合う広告をテレビに選別的に保存しておき、ユーザが視聴する番組に関連した広告をバナー形式で表示するものである。
【発明の開示】
【発明が解決しようとする課題】
【０００５】
しかし、テレビの双方向通信機能を用いて広告事業者が視聴番組を把握し、これに基づいて広告を提供することは行われていなかった。
【０００６】
そこで、本発明は、ユーザが視聴しているコンテンツに対応した広告を効果的に提供することを目的とする。
【課題を解決するための手段】
【０００７】
前記目的を達成するために、請求項１に記載の発明では、デジタルテレビ受像装置から、視聴されている番組情報を取得する番組情報取得手段と、前記デジタルテレビ受像装置から当該デジタルテレビ受像装置に予め設定されている、ユーザを特定するユーザ特定情報を取得するユーザ特定情報取得手段と、前記番組情報取得手段で取得した番組情報で特定されるメタデータを取得するメタデータ取得手段と、メタデータとマッチングするためのキーが設定された広告情報と、前記取得したメタデータとを、キーを用いてマッチングすることにより、前記取得したメタデータに対応する広告情報を検索する広告情報検索手段と、前記検索した広告情報を、前記デジタルテレビ受像装置に設けられており、広告情報を放映する広告端末に送信する広告情報送信手段と、前記デジタルテレビ受像装置から、前記送信した広告情報の選択を受け付ける広告選択受信手段と、前記選択された広告情報が、特典情報であった場合、前記取得したユーザ特定情報と前記選択された特典情報とを対応付けて記憶する対応記憶手段と、を具備したことを特徴とする広告装置を提供する。
請求項２に記載の発明では、店舗に設置された店舗端末から、ユーザの購買活動を当該ユーザのユーザ特定情報に対応して記録したユーザの購買記録を取得する購買記録取得手段を具備したことを特徴とする請求項１記載の広告装置を提供する。
請求項３に記載の発明では、前記ユーザ特定情報取得手段が取得するユーザ特定情報は、電子マネーの残高記憶手段を特定する電子マネー機能部ＩＤであることを特徴とする請求項２記載の広告装置を提供する。
請求項４に記載の発明では、電子マネー機能部ＩＤをキーとして、前記取得した購買記録と、前記対応記憶手段で記憶した電子マネー機能部ＩＤと広告選択情報の対応を照合し、前記ユーザの購買活動が、前記記憶した広告選択情報で特定される広告内容で規定された購買活動であるか否かを判断する判断手段と、前記判断手段において広告選択情報により特定される広告内容で規定された購買活動であると判断された場合、前記電子マネー機能部ＩＤで特定される残高記憶手段のバリュー残高を増額させる価値還元手段と、を具備したことを特徴とする請求項３記載の広告装置を提供する。
請求項５に記載の発明では、前記価値還元手段は、金額変更情報を前記電子マネー機能部ＩＤで特定される残高記憶手段に送信することで残高記憶手段に対してバリュー残高を増額させることを特徴とする請求項４記載の広告装置を提供する。
請求項６に記載の発明では、前記取得したユーザの購買記録を記憶する購買記録記憶手段と、前記検索した広告情報を、前記記憶した前記ユーザの購買記録を用いて絞り込む絞り込み手段と、を具備し、前記広告情報送信手段は、前記絞り込んだ広告情報を送信することを特徴とする請求項２に記載の広告装置を提供する。
請求項７に記載の発明では、前記絞り込み手段が広告情報を絞り込むための優先順位が予め設定されていることを特徴とする請求項６記載の広告装置を提供する。
請求項８に記載の発明では、前記ユーザ特定情報取得手段は、ユーザの住所に関する情報を取得し、前記絞り込み手段が広告情報を絞り込む際、ユーザの住所に関する情報を用いて絞り込むことを特徴とする請求項６又は請求項７記載の広告装置の広告装置を提供する。
請求項９に記載の発明では、デジタルテレビ受像装置から、視聴されている番組情報を取得する番組情報取得ステップと、前記デジタルテレビ受像装置から当該デジタルテレビ受像装置に予め設定されている、ユーザを特定するユーザ特定情報を取得するユーザ特定情報取得ステップと、前記番組情報取得ステップで取得した番組情報で特定されるメタデータを取得するメタデータ取得ステップと、メタデータとマッチングするためのキーが設定された広告情報と、前記メタデータ取得ステップで取得したメタデータとを、キーを用いてマッチングすることにより、前記メタデータ取得ステップで取得したメタデータに対応する広告情報を検索する広告情報検索ステップと、前記広告情報検索ステップで検索した広告情報を、前記デジタルテレビ受像装置に設けられており、広告情報を放映する広告端末に送信する広告情報送信ステップと、前記デジタルテレビ受像装置から、前記広告情報送信ステップで送信した広告情報の選択を受け付ける広告選択受信ステップと、前記広告情報送信ステップで選択された広告情報が、特典情報であった場合、前記ユーザ特定情報取得ステップで取得したユーザ特定情報と前記広告選択受信ステップで選択された特典情報とを対応付けて記憶する対応記憶ステップと、を具備したことを特徴とする広告方法を提供する。
請求項１０記載の発明では、デジタルテレビ受像装置から、視聴されている番組情報を取得する番組情報取得機能と、前記デジタルテレビ受像装置から当該デジタルテレビ受像装置に予め設定されている、ユーザを特定するユーザ特定情報を取得するユーザ特定情報取得機能と、前記番組情報取得機能で取得した番組情報で特定されるメタデータを取得するメタデータ取得機能と、メタデータとマッチングするためのキーが設定された広告情報と、前記メタデータ取得機能で取得したメタデータとを、キーを用いてマッチングすることにより、前記メタデータ取得機能で取得したメタデータに対応する広告情報を検索する広告情報検索機能と、前記広告情報検索機能で検索した広告情報を、前記デジタルテレビ受像装置に設けられており、広告情報を放映する広告端末に送信する広告情報送信機能と、前記デジタルテレビ受像装置から、前記広告情報送信機能で送信した広告情報の選択を受け付ける広告選択受信機能と、前記広告情報送信機能で選択された広告情報が、特典情報であった場合、前記ユーザ特定情報取得機能で取得したユーザ特定情報と前記広告選択受信機能で選択された特典情報とを対応付けて記憶する対応記憶機能と、をコンピュータに実現させる広告プログラムを提供する。
【発明の効果】
【０００８】
本発明によれば、ユーザが視聴しているコンテンツのメタデータを用いて、ユーザが視聴しているコンテンツに対応した広告を効果的に提供することができる。
【発明を実施するための最良の形態】
【０００９】
（１）実施の形態の概要
デジタルテレビ２１（図１）は、Ａテレビ局２６などが放送するデジタル放送を受信し、主画面２３で再生する。また、デジタルテレビ２１は、電子マネーサーバ２とネットワークにより接続し、電子マネーサーバ２が送信する広告情報を副画面２４で再生する。
電子マネーサーバ２は、デジタルテレビ２１から、ユーザを特定するＩＤ情報である電子マネー機能部ＩＤと、ユーザが視聴している番組を特定する番組情報を受信し、当該番組のメタデータをメタデータサーバ２５に要求する。
【００１０】
電子マネーサーバ２は、メタデータサーバ２５からメタデータを受信すると、これにマッチする広告情報を抽出し、これをデジタルテレビ２１に送信する。
このように、電子マネーサーバ２は、ユーザが視聴している番組に適合する広告情報をデジタルテレビ２１に送信することができ、番組に同期した広告配信を行うことができる。
【００１１】
また、ユーザの電子マネーによる購買履歴を参照することにより、ユーザが視聴している番組と、ユーザの購買履歴の双方に適合した広告を配信して、より広告効果を高めることもできる。
【００１２】
このように、電子マネーサーバ２は、番組に適した広告を配信するのみならず、ユーザがリモコン２２で広告を選択すると、その情報を選択情報として受信し、電子マネー機能部ＩＤと対応づけて記憶することができる。
広告情報にはクーポンが付与されたものがあり、ユーザが当該広告を選択して電子マネーサーバ２に登録すると、電子マネーの決済に対して割引が適用されるなど、様々な特典を受けることができる。
【００１３】
（２）実施の形態の詳細
本実施の形態では、広告システムと電子マネーシステムから構成されており、広告システムでユーザにクーポンなどを提供し、電子マネーシステムでクーポンなどによる特典をユーザに還元する。
【００１４】
図１は、本実施の形態に係る広告システム１の構成を説明するための図である。
Ａテレビ局２６、Ｂテレビ局２７は、地上デジタル放送によって番組を放送する放送局である。
図では、Ａテレビ局２６とＢテレビ局２７の２つを示してあるが、更に多くの放送局が存在することができる。以下では、これらの放送局を特に区別しない場合には単にテレビ局と記す。
【００１５】
テレビ局は、番組やコマーシャルなどのコンテンツを放送すると共に、これらの内容を索引的に記したメタデータを用意している。
メタデータには、例えば、ドラマの内容や、出演者、放映地域、出演者が着ている服や持っている鞄や履いている靴のブランドなど、番組に関する事項が記録されている。
【００１６】
メタデータサーバ２５は、各テレビ局からメタデータを収集して管理し、これを配信するサーバである。
メタデータは、テレビ局のチャンネルと放送時間に対応づけられて管理されており、これによって番組に対応するメタデータが特定できるようになっている。
【００１７】
デジタルテレビ２１は、地上デジタル放送に対応したデジタル方式のテレビであって、例えば、ユーザ宅に設置されている。
デジタルテレビ２１は、テレビ局が放送する番組の放送波を受信して番組を再生すると共に、ＣＰＵ（Ｃｅｎｔｒａｌ  Ｐｒｏｃｅｓｓｉｎｇ  Ｕｎｉｔ）でアプリケーションを実行し、ネットワーク経由で電子マネーサーバ２と通信することができる。
デジタルテレビ２１は、例えば、液晶ディスプレイやプラズマディスプレイなどの表示装置を備えており、表示画面を主画面２３と副画面２４に区分して、独立した画像（映像）を表示することができる。
【００１８】
デジタルテレビ２１は、テレビ局が放映する番組を主画面２３に表示し、電子マネーサーバ２が送信する広告情報を副画面２４に表示する。
この副画面２４に広告情報を表示する機能は、デジタルテレビ２１に組み込まれた広告アプリケーション（以下、広告アプリ）の機能によるものである。
デジタルテレビ２１では、リモコン２２によって各種操作が行えるようになっており、ユーザが副画面２４に表示された複数の広告からリモコン操作によって所望のものを選択できるようになっている。
【００１９】
電子マネーサーバ２は、ユーザが視聴している番組のメタデータをメタデータサーバ２５から取得し、当該メタデータを用いて、当該番組に適合する広告情報をデジタルテレビ２１に送信する。広告情報には、ユーザに割引などの特典を付与するクーポンが設定されたものがある。
また、電子マネーサーバ２は、ユーザがデジタルテレビ２１で広告情報を選択した場合に、当該ユーザが当該広告情報を選択した旨を記憶し、当該広告情報にクーポンなどの特典が設定されている場合には、電子マネーシステムを用いて特典をユーザに還元する。
【００２０】
以上のように構成された広告システム１の動作を図中の括弧に示した番号に対応して説明する。
（１）テレビ局（あるいは、テレビ局から依頼を受けたメタデータ作成事業者など）は、放送する番組やコマーシャルに関するメタデータを作成し、メタデータサーバ２５に送信しておく。
なお、メタデータサーバ２５は、テレビ局、番組（またはコマーシャル）製作会社または広告代理店等から、番組およびコマーシャルの放送スケジュールを予め取得しておくものとする。
（２）メタデータを用意した後、テレビ局は、予定に従って番組やコマーシャルを電波塔（図示せず）からデジタル無線信号によって放送する。
【００２１】
（３）ユーザがデジタルテレビ２１をオンすると共に広告アプリを起動すると、広告アプリは、電子マネー機能部ＩＤを電子マネーサーバ２に送信する。電子マネー機能部ＩＤは、ユーザの設定などにより、広告アプリに予め格納されているものとする。
ユーザは、電子マネー機能付き携帯電話や電子マネーカードを利用しており、当該携帯電話や電子マネーカードに設定されている電子マネー機能部ＩＤを電子マネーサーバ２に登録している。
【００２２】
そこで、広告システム１では、電子マネー機能部ＩＤをユーザ特定情報として利用している。
また、地域に特化した広告情報を当該地域に送信するために、広告アプリにユーザの所在地の郵便番号などの地域特定情報を記憶しておき、これを電子マネー機能部ＩＤと共に送信するように構成することもできる。
【００２３】
（４）次いで、ユーザがチャンネルを設定して番組を主画面２３に表示すると、広告アプリは、チャンネルと現在時刻を含む番組情報を電子マネーサーバ２に送信する。
なお、番組情報は、ユーザが視聴している番組を特定できるものであればよく、例えば、番組に番組ＩＤが設定されている場合には、これを番組情報として電子マネーサーバ２に送信するように構成してもよい。
【００２４】
（５）電子マネーサーバ２は、番組情報を受信すると、これをメタデータサーバ２５に送信して、当該番組のメタデータを要求する。
（６）メタデータサーバ２５は、電子マネーサーバ２から当該番組のメタデータの要求を受けると、これを電子マネーサーバ２に送信する。
【００２５】
（７）電子マネーサーバ２は、メタデータサーバ２５から、現在ユーザが視聴している番組のメタデータを受信すると、これに適合する広告情報を検索処理により選択（抽出）してデジタルテレビ２１に送信する。送信した広告情報は、副画面２４に表示される。
より詳細には、電子マネーサーバ２は、ブランド名や俳優名などの検索キーが設定された広告情報を記憶しており、これをメタデータに記録された事項とマッチング（照合、突合）することにより、現在ユーザが視聴している番組に適合する広告情報を検索することができる。
【００２６】
これにより、ドラマの中で出演者が履いている靴の広告情報を表示したり、出演者が飲食をしている居酒屋のクーポンが設定された広告情報を表示したりすることができる。
また、電子マネーサーバ２は、広告アプリからユーザの電子マネー機能部ＩＤを受信しているため、これを用いてユーザの電子マネーによる購買履歴を解析し、ユーザの購買傾向に適合した広告情報を更に絞り込むように構成することもできる。
（８）ユーザがリモコン２２を操作して、副画面２４に表示された広告情報から、希望するものを選択する。
【００２７】
（９）すると、デジタルテレビ２１は、電子マネー機能部ＩＤと、当該広告情報の広告ＩＤを含む選択情報を電子マネーサーバ２に送信する。
なお、デジタルテレビ２１は、既に（３）で電子マネーサーバ２に電子マネー機能部ＩＤを送信しているため、電子マネーサーバ２がデジタルテレビ２１とセッションを維持するなどして電子マネー機能部ＩＤの再送が必要ない場合には、選択情報として広告ＩＤを送信すればよい。
（１０）電子マネーサーバ２は、デジタルテレビ２１から選択情報を受信すると、電子マネー機能部ＩＤと広告情報を対応づけて記憶することにより登録する。これによって、ユーザは当該広告情報に設定されたクーポンやポイントの取得などの特典を利用可能となる。
【００２８】
次に、ユーザが広告情報に設定され特典を利用する方法について説明する。ここでは、広告情報にクーポンが設定されており、ユーザはクーポンによる割引を受けるものとする。
図２は、電子マネーシステム９９の構成を簡略化して図示したものである。
先に説明したように、（９）デジタルテレビ２１が電子マネーサーバ２に選択情報を送信すると、（１０）電子マネーサーバ２は、電子マネー機能部ＩＤと広告情報の対応を登録ＤＢ６５に記憶する。ＤＢは、データベースの略である。
【００２９】
（１１）ユーザは、広告情報を電子マネーサーバ２に登録した後、広告対象の加盟店３を訪れて購買活動を行い、携帯電話７の電子マネーで決済する。
例えば、広告情報が、「○×レストランでの食事が１０％引き」というものであった場合、ユーザは○×レストランで食事をして携帯電話７の電子マネーで決済する。
なお、電子マネーシステム９９では、電子マネーによる貨幣価値を表す情報をバリューと呼んでおり、１バリューは１円に対応している。
【００３０】
ここで、加盟店３とは、電子マネーシステム９９に加盟している店舗やバスなどの移動体、あるいはネットワーク上の仮想店舗などであり、電子マネーによる決済が行える店舗である。
加盟店３が物理的な店舗や移動体の場合には、携帯電話７の電子マネー機能部（後述）と短距離の無線通信を行って携帯電話７に蓄積されているバリューを減額して決済する。
【００３１】
加盟店３が仮想店舗である場合には、例えば、ネットワーク経由で携帯電話７と電子マネーサーバ２を接続し、電子マネーサーバ２が携帯電話７のバリューを減額して、加盟店３の決済を代行する。
なお、本実施の形態では、物理的な加盟店３で携帯電話７の電子マネーで決済する場合を主として説明するが、電子マネーカードによる決済や仮想店舗での決済にも適用できるものである。
【００３２】
（１２）加盟店３は、携帯電話７のバリューで決済すると、携帯電話７の電子マネー機能部ＩＤ、決済金額、加盟店３自身のＩＤ情報である加盟店ＩＤ、決済日時などを含む取引ログを生成して電子マネーサーバ２に送信する。
電子マネーサーバ２は、加盟店３から取引ログを受信するとこれを取引ログＤＢ６２に記憶する。
【００３３】
（１３）電子マネーサーバ２は、定期的・不定期に登録ＤＢ６５と取引ログＤＢ６２をマッチングして、ユーザが広告情報に規定された内容に該当する決済を行ったか否かを判断する。
（１４）電子マネーサーバ２は、ユーザが広告情報に該当する決済を行った場合には、割引金額分のバリューを携帯電話７に付与してこれを還元する。
【００３４】
このために、電子マネーサーバ２は、例えば、電子メールなどで携帯電話７を電子マネーサーバ２に接続するように要求し、ユーザが携帯電話７を電子マネーサーバ２に接続すると、バリューを加算するためのコマンドを携帯電話７に送信して、携帯電話７に記憶されているバリューの金額を割引金額分だけ増額する。
なお、バリューを増額する処理はチャージと呼ばれており、このようにしてユーザにバリューを還元する仕組みはバリューギフトと呼ばれている。
【００３５】
図３は、デジタルテレビ２１の画面の外観を表した図である。
画面は、主画面２３と副画面２４に区分され、主画面２３には、デジタル放送されている番組が表示される。
一方、副画面２４には、広告アプリが提供する画面が表示される。広告アプリは、ネットワークにより電子マネーサーバ２と接続し、電子マネーサーバ２が送信してくる広告情報３１〜３４を副画面２４に表示する。
【００３６】
電子マネーサーバ２は、主画面２３で再生されている番組のメタデータを用いて、当該番組に関係のある広告情報を広告アプリに送信するため、副画面２４には、主画面２３で再生されている番組に適合した広告情報が番組と同期して表示される。
【００３７】
副画面２４に表示された広告情報は、リモコン２２（図１）で選択できるようになっており、例えば、ユーザが広告情報３２のクーポンＡを選択すると、広告アプリは、ユーザがクーポンＡを選択した旨を電子マネーサーバ２に通知し、ユーザはクーポンＡを利用可能となる。
【００３８】
以上のような仕組みを用いて、例えば、次のような利用状況が考えられる。
主画面２３のドラマで出演者が食事をしているとする。すると、副画面２４には、出演者が食事をしているレストランについて「○×レストラン５％引き」などの広告情報が表示される。
ユーザが、当該広告情報を利用したいと思った場合、リモコン操作によって当該広告情報を選択する。すると、電子マネーサーバ２に登録され、クーポンが利用可能となる。
その後、ユーザが当該レストランに赴いて食事をし、携帯電話７で決済すると、後日割引分のバリューを携帯電話７で受け取ることができる。
【００３９】
図４は、デジタルテレビ２１のハードウェア的な構成を説明するための図である。
放送受信部４１は、電波塔からデジタル放送される電波を受信する。
信号処理部４２は、受信した電波を信号処理し、映像信号や音声信号を復号する。
【００４０】
音声出力部４３は、例えば、スピーカなどを備えており、音声信号を用いて音声を出力する。
画像表示部４５は、例えば、液晶ディスプレイやプラズマディスプレイなどの表示デバイスを備えており、画像を表示する。
【００４１】
画像制御部４４は、画像表示部４５を制御して画像表示部４５の表示デバイスに画像を表示させる。
画像制御部４４は、画像制御部４４から出力される番組の画像と、後述のＣＰＵ４６から出力される広告アプリによる画像を画像表示部４５に表示させることができる。
【００４２】
例えば、画像制御部４４は、ユーザからのリモコン操作を受け付けて、画像表示部４５の表示画面を主画面２３（図３）と副画面２４に区分し、主画面２３に画像制御部４４が出力した番組の画像を表示し、副画面２４にＣＰＵ４６が出力した広告アプリの画像を表示することができる。
更に、画像制御部４４は、ユーザからのリモコン操作を受けて、主画面２３のみを表示させたり、あるいは、副画面２４のみを表示させたり、更には、これらの画面の位置や大きさを変化させたりなど、画面の表示態様を制御することもできる。
【００４３】
ＣＰＵ４６は、プログラムを実行して各種の情報処理などを行う中央処理装置である。
なお、図示しないが、ＣＰＵ４６には、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などの記憶装置が接続されている。
ＲＡＭは、ＣＰＵ４６が処理を行う際のワーキングメモリを提供し、ＲＯＭは、デジタルテレビ２１を動作させるための基本的なプログラムやパラメータなどが記憶されている。
【００４４】
リモコン受信部４８は、リモコン２２（図１）からの操作を受け付ける。リモコン２２による操作としては、主画面２３、副画面２４の表示態様の設定、広告情報の選択などがある。
記憶装置４９は、例えば、ハードディスクを備えた大容量の記憶装置であり、各種プログラムやデータを記憶している。
本実施の形態では、記憶装置４９に広告アプリ機能を発揮させるための広告アプリプログラム５０が記憶されている。
【００４５】
また、広告アプリプログラム５０は、ユーザの電子マネー機能部ＩＤを格納している。
広告アプリプログラム５０への電子マネー機能部ＩＤの登録は、例えば、リモコン操作によってユーザが手入力するように構成することもできるし、あるいは、デジタルテレビ２１にリーダライタと呼ばれるデバイスを設け、リーダライタから携帯電話７にアクセスして電子マネー機能部ＩＤを読み取って格納するように構成することもできる。
【００４６】
通信制御部４７は、例えば、インターネットなどのネットワークに接続しており、デジタルテレビ２１を電子マネーサーバ２やその他のサーバに接続する。
本実施の形態では、電子マネーサーバ２から広告情報を受信したり、電子マネーサーバ２に選択情報を送信したりする。
【００４７】
以上に説明したように、デジタルテレビ２１は、コンテンツ（ここでは、テレビ局が放送する番組）を再生するコンテンツ再生装置として機能すると共に、電子マネーサーバ２が送信した広告情報を表示する広告端末として機能しており、両者は電子マネー機能部ＩＤにより、またはデジタルテレビ２１に一体に形成されることにより対応づけられている。
また、後述の変形例で触れるように、デジタルテレビ２１で番組を再生し、これに同期する広告情報を携帯電話７など、デジタルテレビ２１とは別の端末に送信する場合には、両者は電子マネー機能部ＩＤなど、ユーザを特定する情報を用いて対応づけられている。
【００４８】
図５は、携帯電話７の構成の一例を示した概念図である。
携帯電話７は、電話機能部１０と電子マネー機能部として機能するＩＣチップ１２を備えており、両者はインターフェース部１１によって接続されている。
ＩＣチップ１２には、端末通信部１６、バリュー処理部１７、電子マネー記憶部１８などが形成されている。
【００４９】
電子マネー記憶部１８は、電子マネー機能部ＩＤ、バリュー残高、ログデータなどを記憶している。
電子マネー機能部ＩＤは、電子マネーシステム９９でＩＣチップ１２を特定するための識別情報である。
バリュー残高は、現在記憶しているバリューの金額であり、これを減額することにより決済することができる。このように、電子マネー記憶部１８は、貨幣価値の金額を電子データ（バリュー）として記憶する金額記憶手段として機能している。
ログデータは、バリューの処理内容などを記録したログデータである。
【００５０】
端末通信部１６は、加盟店３に設置された電子マネー端末８のリーダライタと無線通信する機能部であって、電子マネー端末８とバリュー処理部１７の通信を仲介する。
バリュー処理部１７は、各種コマンドを実行する機能部であって、端末通信部１６を介して電子マネー端末８と通信することができると共に、電話機能部１０を介して電子マネーサーバ２と通信することができる。
【００５１】
コマンドには、金額変更情報、ＩＤ参照コマンドなどがあり、電子マネー端末８や電子マネーサーバ２は、バリュー処理部１７に金額変更情報を送信してチャージや決済を行わせたり、ＩＤ参照コマンドを送信して、バリュー処理部１７の電子マネー機能部ＩＤを読み出したりすることができる。
金額変更情報は、チャージする場合には電子マネー記憶部１８に記憶したバリューを加算するコマンドとして機能し、決済する場合には減算するコマンドとして機能する。
このように、バリュー処理部１７は、金額変更手段として機能し、ＩＣチップ１２は、貨幣端末として機能している。
【００５２】
電話機能部１０は、通話を行う通話モードとアプリケーションを動作させるアプリケーションモードを有しており、ユーザの操作により切り替えることができる。
電話機能部１０は、ＣＰＵと、各種のアプリケーションプログラムを記憶した記憶部を備えており、アプリケーションモードにてこれらのアプリケーションプログラムをＣＰＵで実行することにより各種のアプリケーション機能を発揮することができる。
【００５３】
図５の例では、電子マネーサーバ２に接続して、チャージや決済するための電子マネーアプリケーション部１５がインストールされている。
以上は、携帯電話７について説明したが、電子マネーカードにもＩＣチップ１２と同様のＩＣチップが内蔵されている。そして、電子マネーカードを電子マネーサーバ２に接続するためには、リーダライタを備えた、ネットワークに接続可能な端末を介して電子マネーカードを電子マネーサーバ２に接続する。
【００５４】
図６は、電子マネーサーバ２のハードウェア的な構成の一例を示した図である。
電子マネーサーバ２は、広告端末（デジタルテレビ２１）に広告情報を送信する広告装置として機能している。
電子マネーサーバ２は、ＣＰＵ５１、ＲＯＭ５２、ＲＡＭ５４、通信制御部５３、記憶部５５などがバスラインで接続されて構成されている。
【００５５】
ＣＰＵ５１は、所定のプログラムに従って各種の情報処理を行う中央処理装置である。
本実施の形態では、メタデータサーバ２５からメタデータを取り寄せて、ユーザが視聴している番組に対応する広告情報をデジタルテレビ２１に送信したり、ユーザから広告情報の登録を受け付けたり、登録した広告情報と取引ログを突合して割引金額をバリューで還元したりなどする。
【００５６】
ＲＯＭ５２は、読み出し専用のメモリであり、電子マネーサーバ２を動作させるための基本的なプログラムやパラメータなどが記憶されている。
ＲＡＭ５４は、読み書き可能なメモリであって、ＣＰＵ５１のワーキングメモリを提供したりする。
通信制御部５３は、メタデータサーバ２５、デジタルテレビ２１、電子マネー端末８などと通信したり、あるいは、ネットワークや携帯電話の基地局を介して携帯電話７と通信したりする。
【００５７】
記憶部５５は、例えばハードディスクなどの大容量の記憶装置を用いて構成されており、各種プログラムを格納したプログラム格納部５６、データを格納したデータ格納部５７などから構成されている。
プログラム格納部５６には、電子マネーサーバ２を機能させるための基本的なプログラムであるＯＳや、デジタルテレビ２１の広告アプリを利用してデジタルテレビ２１に広告情報を送信するプログラム、広告情報に設定されたクーポンの利用によるバリューの還元を行うプログラム、その他のプログラムが格納されている。
【００５８】
データ格納部５７には、携帯電話７や電子マネーカードのユーザを登録したユーザＤＢ６１、各加盟店３の電子マネー端末８から送信されてきた取引ログを記憶した取引ログＤＢ６２、加盟店３の情報を記憶した加盟店ＤＢ６３、デジタルテレビ２１に送信する広告情報を記憶した広告ＤＢ６４、デジタルテレビ２１から送信されてきた選択情報を登録した登録ＤＢ６５などが格納されている。
以上、電子マネーサーバ２の構成について説明したが、これらの機能の全てを１台のサーバで行う必要はなく、複数台のサーバ装置を組み合わせて電子マネーサーバ２と同等の機能を有するシステムを構成してもよい。
【００５９】
図７は、メタデータサーバ２５が記憶しているメタデータＤＢの論理的な構成の一例を示した図である。
メタデータＤＢは、「番組」、「チャンネル」、「放送時間」、「メタデータ」などの項目が対応づけられて構成されている。
「番組」は、テレビ局が放送する番組のジャンルや題名などである。
「チャンネル」は、テレビ局に設定されたテレビチャンネルである。
「放送時間」は、番組が放送される時間帯である。
「メタデータ」は、番組に対して作成されたメタデータである。
【００６０】
メタデータＤＢでは、チャンネルと放送時間が検索キーとなっており、これらを特定すると、番組と当該番組に設定されているメタデータが特定できるようになっている。
例えば、チャンネル「５」と、放送時間「２００７年１１月１２日１３：００：００〜２００７年１１月１２日１３：１４：５９」、又は放送時間中の放送時刻「２００７年１１月１２日１３：０８：２５」などを指定すると、番組「ドラマ（三休さん）」と当該番組に設定されているメタデータが特定される。
【００６１】
当該メタデータには、例えば、出演者である「鈴木一郎」、放送エリアである「首都圏」、出演者が食事をするレストランの名称「ボンジュール」、出演者が持っている鞄のブランド「ダッチ」、出演者が身につけている装飾品「ネックレス」や「ジャケット」などの語が登録されている。
【００６２】
図８（ａ）は、ユーザＤＢ６１の論理的な構成の一例を示した図である。
ユーザＤＢ６１は、「電子マネー機能部ＩＤ」、「ユーザ名」、「パスワード」、「電子メールアドレス」、「郵便番号」、「住所」などのユーザ情報が記憶されている。
「電子マネー機能部ＩＤ」は、ユーザが所有する携帯電話７や電子マネーカードのＩＣチップのＩＤ情報である。
「ユーザ名」は、ユーザの氏名である。
【００６３】
「パスワード」は、電子マネーサーバ２がユーザを認証して特定するための認証情報である。
パスワードは、例えば、ユーザが携帯電話７やユーザ端末（例えば、パーソナルコンピュータ）などから電子マネーサーバ２のサイトにログインする際に、ユーザを特定するのに用いられる。
【００６４】
「電子メールアドレス」は、携帯電話７の電子メールアドレスや、ユーザがプロバイダなどから与えられている電子メールアドレスなど、ユーザに電子メールで通知を送る場合の送信先アドレスである。
「郵便番号」は、ユーザの住所が所在する地域の郵便番号であり、「住所」はユーザの住所である。
また、ユーザＤＢ６１には、ユーザの性別、職業、趣味など、ユーザに関する情報を記憶することもできる。
【００６５】
図８（ｂ）は、取引ログＤＢ６２の論理的な構成の一例を示した図である。
取引ログＤＢ６２は、電子マネー端末８から送信されてきた取引ログや、電子マネーサーバ２が携帯電話７や電子マネーカードに直接行った処理を蓄積したデータベースであり、「電子マネー機能部ＩＤ」、「チャージ」、「決済」、その他の項目から構成されている。
【００６６】
「電子マネー機能部ＩＤ」は、取引ログの対象となったＩＣチップの電子マネー機能部ＩＤである。
「チャージ」には、チャージを行った加盟店３の加盟店ＩＤ、電子マネー端末８の端末ＩＤ、チャージを行った日時（分秒まで記録）、チャージしたバリューの金額などが記録されている。
「決済」には、「チャージ」と同様に、決済を行った加盟店３の加盟店ＩＤ、電子マネー端末８（あるいは電子マネーサーバ２）の端末ＩＤ、決済日時、決済したバリューの金額などが記録されている。
【００６７】
このように、電子マネーサーバ２は、携帯電話７や電子マネーカードによる購買履歴を取引ログとして記憶しているため、これを基にクーポンによる割引金額などを計算することができる。
また、取引ログに、ユーザが購入した商品の商品コードなどを記録するように構成すると、例えば、「ダッチのバッグ１０％引き」と広告して、ユーザが当該バッグを購入すると割引分をバリューギフトで還元したり、更に、「○○コンビニおにぎり１０円引き」など、店舗と商品の論理積で割引（即ち、「○○コンビニ」かつ「おにぎり」の場合に割引）するなど、よりきめの細かい特典をユーザに付与することができる。
【００６８】
図９（ａ）は、広告ＤＢ６４の論理的な構成の一例を示した図である。
広告ＤＢ６４は、デジタルテレビ２１の広告アプリで提供する広告情報を格納したデータベースであり、「広告ＩＤ」、「加盟店ＩＤ」、「特典内容」、「表示情報」、「抽出キー」などの項目が対応づけられて構成されている。
【００６９】
「広告ＩＤ」は、各広告情報に付与されたＩＤ情報であり、各広告情報は広告ＩＤにより特定される。
「加盟店ＩＤ」は、広告情報を提供している加盟店の加盟店ＩＤである。
「特典内容」は、ユーザが広告情報を選択した場合にユーザに付与される特典である。
本実施の形態では、特典をクーポンとするが、この他にポイントの付与やくじ（「選択したユーザの中から１名様に１万円贈呈」などと広告する）などの特典が可能である。
広告情報がクーポンである場合には、「特典内容」は、例えば、「１０％引き、期間○○〜○○」などと割引率や割引条件が設定されている。
【００７０】
「表示情報」は、デジタルテレビ２１の広告アプリが副画面２４に広告情報を表示するための表示情報であり、例えば、画像データなどで構成されている。電子マネーサーバ２は、デジタルテレビ２１に当該表示情報を広告情報として送信する。
「抽出キー」は、メタデータと照合してデジタルテレビ２１に送信する広告情報を選択するためのキーワードである。
例えば、メタデータに「首都圏」という事項（語）が含まれている場合、抽出キーに「首都圏」という語を含む広告情報が選択される。
【００７１】
図９（ｂ）は、登録ＤＢ６５の論理的な構成の一例を示した図である。
登録ＤＢ６５は、「広告ＩＤ」、「登録ユーザ」、「登録日時」などの項目から対応づけられて構成されている。
「広告ＩＤ」は、ユーザが選択した広告情報の広告ＩＤである。
「登録ユーザ」は、広告情報を選択したユーザの電子マネー機能部ＩＤである。
【００７２】
「登録日時」は、ユーザが広告情報を選択した日時である。
図の例では、広告ＩＤ「００３」の広告情報は、「１２３４５６７８」、「９６３２５８７４」、・・・なる電子マネー機能部ＩＤのユーザが登録していることが分かる。
【００７３】
次に、図１０のフローチャートを用いて、広告システム１が広告を表示して選択を受け付ける手順について説明する。
まず、ユーザがデジタルテレビ２１をオンし、番組の視聴を開始する。次いで、リモコン操作により広告アプリを起動する（ステップ５）。
【００７４】
次に、広告アプリは、予め登録してある電子マネー機能部ＩＤと、ユーザが視聴している番組の番組情報（チャンネルと放送時刻）を電子マネーサーバ２に送信する（ステップ１０）。
なお、電子マネー機能部ＩＤは、広告アプリの起動時に送ればよいが、番組情報は、ユーザがチャンネルを切り替えるごとに電子マネーサーバ２に送信する。
このように、デジタルテレビ２１は、コンテンツ再生装置（デジタルテレビ２１）に対応づけられたユーザを特定するユーザ特定情報（電子マネー機能部ＩＤ）を送信するユーザ特定情報送信手段を備えている。
【００７５】
電子マネーサーバ２は、デジタルテレビ２１から送信されてきた電子マネー機能部ＩＤを受信し、これによってユーザを特定する（ステップ１５）。
このように、電子マネーサーバ２は、広告端末（デジタルテレビ２１）が送信したユーザ特定情報（電子マネー機能部ＩＤ）を取得するユーザ特定情報取得手段を備えている。
次に、電子マネーサーバ２は、デジタルテレビ２１から受信した番組情報をメタデータサーバ２５に送信し、当該番組に対応するメタデータの送信を要求する（ステップ２０）。
【００７６】
メタデータサーバ２５は、番組情報を受信すると、当該番組情報に含まれるチャンネルと放送時刻をキーにしてメタデータＤＢでメタデータを検索し、検索されたメタデータを電子マネーサーバ２に送信する（ステップ２５）。
【００７７】
電子マネーサーバ２は、メタデータサーバ２５からメタデータを受信する。
このように、電子マネーサーバ２は、特定のコンテンツ再生装置（電子マネー機能部ＩＤを送信してきたデジタルテレビ２１）で再生しているコンテンツ（番組）のメタデータを取得するメタデータ取得手段を備えている。
【００７８】
そして、電子マネーサーバ２は、メタデータに含まれている事項（首都圏などの語）と、広告ＤＢ６４に格納されている広告情報の抽出キーをマッチングし、メタデータに対応する広告情報を抽出する（ステップ３０）。
このように、電子マネーサーバ２は、メタデータとマッチングするためのキー（抽出キー）が設定された広告情報と、メタデータをマッチングすることにより、当該メタデータに対応する広告情報を検索する広告情報検索手段を備えている。
【００７９】
広告情報が多数抽出された場合には、電子マネーサーバ２は、何らかのアルゴリズムによってこれを絞り込む。
例えば、後に変形例で説明するように、取引ログＤＢ６２に記録されているユーザの購買履歴を用いて、ユーザの購買活動に適合する広告情報を更に絞り込むこともできる（ステップ３５）。
例えば、「レストラン」という語がメタデータに含まれていた場合、電子マネーサーバ２には、「レストラン」から抽出される広告情報が複数格納されていることがある。その場合、電子マネーサーバ２に予め設定されている優先順位（例えば、利用期限が間近に迫っているクーポンを含む広告情報の優先順位を高める。）に基づいて、デジタルテレビ２１に送信すべき広告情報を絞り込む。
【００８０】
以上のようにして、電子マネーサーバ２は、ユーザが視聴している番組のメタデータに適合する広告情報を抽出すると、当該広告情報をデジタルテレビ２１に送信する（ステップ４０）。
より詳細には、広告情報を表示するための表示情報（図９（ａ））と広告ＩＤを送信する。
このように、電子マネーサーバ２は、検索した広告情報を特定のコンテンツ再生装置（デジタルテレビ２１）に対応する広告端末（これもデジタルテレビ２１）に送信する広告情報送信手段を備えている。
【００８１】
デジタルテレビ２１では、広告アプリが当該広告情報を受信し、副画面２４に表示する（ステップ４５）。
このように、デジタルテレビ２１は、電子マネーサーバ２が送信した広告情報を表示する広告表示手段を備えている。
【００８２】
デジタルテレビ２１では、ユーザがリモコン操作で広告情報を選択すると（ステップ５０）、広告アプリが、ユーザの電子マネー機能部ＩＤと、ユーザが選択した広告情報の広告ＩＤを含む選択情報を生成して電子マネーサーバ２に送信する（ステップ５５）。
このように、デジタルテレビ２１は、表示した広告情報の選択を受け付けて当該選択された広告情報を特定する広告選択情報（広告ＩＤ）を送信する広告選択情報送信手段を備えている。
【００８３】
電子マネーサーバ２は、デジタルテレビ２１から選択情報を受信する。これによって、電子マネーサーバ２は、電子マネー機能部ＩＤと広告ＩＤとを受信することができる。
このように、電子マネーサーバ２は、広告端末（デジタルテレビ２１）が送信したユーザ特定情報（電子マネー機能部ＩＤ）を取得するユーザ特定情報取得手段と、広告端末が送信した広告選択情報（広告ＩＤ）を取得する広告選択情報取得手段と、を備えている。
【００８４】
そして、電子マネーサーバ２は、これを登録ＤＢ６５に記憶して登録する（ステップ６０）。
このように、電子マネーサーバ２は、デジタルテレビ２１から取得したユーザ特定情報（電子マネー機能部ＩＤ）と、広告選択情報（広告ＩＤ）と、を対応づけて記憶する対応記憶手段を備えている。
以上のようにして、電子マネーサーバ２は、ユーザが視聴している番組に適合した広告情報をデジタルテレビ２１に送信すると共に、ユーザが広告情報を選択した場合にこれを記録することができる。
【００８５】
次に、図１１のフローチャートを用いてバリューギフトによりバリューを還元する手順について説明する。
なお、以下では、携帯電話７を用いるが、電子マネーカードで行うことも可能である。
まず、ユーザは、広告情報の選択を電子マネーサーバ２に登録した後、当該広告情報で規定されているクーポンを発行した加盟店３に行き、購買活動を行う。
そして、ユーザは、加盟店３の電子マネー端末８を用いて、クーポンの対象となる決済を携帯電話７のバリューで行う（ステップ１００）。
【００８６】
電子マネー端末８は、携帯電話７で決済を行った後、履歴を取引ログとして記憶装置に記憶する。取引ログには、取引年月日、取引時分秒、加盟店３の加盟店ＩＤ、電子マネー端末８の端末ＩＤ、携帯電話７のＩＣチップ１２の電子マネー機能部ＩＤ、取引金額、取引の決済又はチャージの別、電子マネー端末８の取引通番、その他の情報が含まれている。
【００８７】
電子マネー端末８は、加盟店３の担当者が締めの操作を行うと、前回の締めから今回の締めまでの間に記憶装置が記憶した取引ログをバッチ処理にて電子マネーサーバ２に送信する（ステップ１０５）。
電子マネーサーバ２は、電子マネー端末８から取引ログを受信して、これを取引ログＤＢ６２に記憶する（ステップ１１０）。
このように、電子マネーサーバ２は、店舗（加盟店３）に設置された店舗端末（電子マネー端末８）から、ユーザの購買活動を当該ユーザのユーザ特定情報（電子マネー機能部ＩＤ）に対応して記録した購買記録（取引ログ）を取得する購買記録取得手段を備えている。
【００８８】
次に、電子マネーサーバ２は、登録ＤＢ６５と取引ログＤＢ６２のマッチング処理を行ってクーポン対象となる取引を抽出し、ユーザごとにバリューギフトとして還元する金額を集計する（ステップ１１５）。
このマッチング処理は、例えば、予め設定された日時や任意の日時に行われる。月末締めでバリューギフトの還元を行う場合、毎月締め後にマッチング処理を行う。
【００８９】
より詳細には、このマッチング処理では、まず、広告情報を登録し、加盟店３で決済を行ったユーザを抽出する（第１段階）。
具体的には、電子マネーサーバ２は、登録ＤＢ６５を参照して、広告情報によるサービスを行っている加盟店３の加盟店ＩＤ、広告情報で設定されたクーポンの適用期間、登録しているユーザの電子マネー機能部ＩＤを取得し、取引ログＤＢ６２でこれらの情報に該当する取引ログを抽出する。
【００９０】
次に、電子マネーサーバ２は、絞り込まれた取引ログと広告情報で規定されているクーポンの内容を用いて、ユーザに還元するバリューギフトの金額を計算する。
例えば、クーポンの内容が、決済金額のうちの所定割合が還元するものであった場合、決済金額の所定割合を計算し、算出された値をバリューギフトの金額とする。
以上のようにして、電子マネーサーバ２は、キャンペーンに参加した各々のユーザに対してバリューギフトの金額を計算し、所定のファイルに出力して記憶する。
【００９１】
このように、電子マネーサーバ２は、ユーザ特定情報（電子マネー機能部ＩＤ）をキーとして、電子マネー端末８から取得した購買記録（取引ログ）と、登録ＤＢ６５に記憶したユーザ特定情報（電子マネー機能部ＩＤ）と広告選択情報（広告ＩＤ）の対応を照合し、当該ユーザの購買活動が、広告ＤＢ６４で記憶した広告選択情報で特定される広告内容で規定された購買活動であるか否かを判断する判断手段と、当該判断手段による判断結果を所定のファイルに出力する判断結果出力手段を備えている。
【００９２】
電子マネーサーバ２は、マッチング処理を行った後、バリューギフトの還元対象となるユーザに対して、バリューギフトの受け取り資格があることを通知する電子メール（以下、バリューギフト通知メール）を生成し、ユーザの携帯電話７に送信する（ステップ１２０）。
このバリューギフト通知メールは、パソコンなどのユーザ端末のメールアドレス宛に送信してもよい。
なお、電子マネーサーバ２がユーザの電子マネー機能部ＩＤに対応するメールアドレス情報を保有している場合は、バリューギフト通知メールを送信することができるが、本実施の形態においては、電子マネーサーバ２は、必ずしもユーザのメールアドレスを保有していない場合もある。当該場合は、バリューギフト通知メールの送信は省略される。
【００９３】
携帯電話７は、電子マネーサーバ２からバリューギフト通知メールを受信し、これを携帯電話７のディスプレイに表示する。
ディスプレイに表示されたバリューギフト通知メールの一例を図１２（ａ）に示す。この図に示したように、バリューギフト通知メールには、例えば、当月のバリューギフトによる還元額（図では１０００円）や、その明細の他、空メール送信ボタン７１が表示される。
【００９４】
空メール送信ボタン７１は、空メールを電子マネーサーバ２に送信するためのボタンである。これにより、携帯電話７は電子マネーサーバ２に電子メールアドレスを通知する。
または、空メールの送信ではなく、メールに記載されたＵＲＬをクリックすること、または、バリュー加算要求コマンドを生成するボタンを押下することでも同等の効果を得ることができるが、この変形例については後述する。
【００９５】
図１１に戻り、ユーザがバリューギフト通知メールを閲覧し、バリューギフトの還元を受ける場合は、空メール送信ボタン７１をクリックして空メールまたはバリュー加算要求コマンドを電子マネーサーバ２に送信する（ステップ１２５）。
電子マネーサーバ２は、携帯電話７から空メールを受信すると、携帯電話７の電子メールアドレスをユーザＤＢ６１で検索し、ユーザを特定する。
【００９６】
そして、携帯電話７にバリューギフトを受けるためのバリューギフト画面を表示するための電子メールを送信する（ステップ１３０）。
この電子メールには、電子マネーサーバ２が運営するバリューギフトを行うためのウェブサイト（以下、バリューギフト受取サイト）へアクセスするためのＵＲＬが含まれ、電子マネー機能部ＩＤやバリューギフトの金額などがパラメータとして付随している場合がある。
【００９７】
携帯電話７は、ディスプレイにバリューギフト画面を表示する。
ディスプレイに表示されたバリューギフト画面の一例を図１２（ｂ）に示す。この画面には、ＵＲＬ７２が表示される。
ＵＲＬ７２は、バリューギフト受取サイトにアクセスするためのＵＲＬであって、ユーザを特定するための情報（携帯電話７の電子マネー機能部ＩＤ）やバリューギフトの金額などがパラメータとして付随している。
ユーザがＵＲＬ７２をクリックすると、携帯電話７がバリューギフト受取サイトにアクセスし、ユーザを特定するための情報とバリューギフトの金額がパラメータとして電子マネーサーバ２に送信される。
【００９８】
以上では、バリューギフト通知メールに空メール送信ボタン７１やＵＲＬ７２を付属させたが、当該メールにはユーザに対してバリューギフトの受け取り資格があることを通知する機能を持たせるだけでもよく、実際のバリューギフトの受け取りは、携帯電話７の電子マネーアプリケーション部１５から、またはパソコンなどのユーザ端末などからユーザの受け取り要求により実行させてもよい。
【００９９】
図１１に戻り、ユーザがＵＲＬ７２をクリックすると、携帯電話７はバリューギフト受取サイトにアクセスし、バリューギフトによるチャージの要求を行う。
そして、携帯電話７と電子マネーサーバ２の間で以下のようにしてチャージ処理が行われる（ステップ１３５）。
まず、電子マネーサーバ２は、携帯電話７からのアクセスを受けると、ＵＲＬ７２に付随するパラメータから、電子マネー機能部ＩＤとバリューギフトの金額を認識する。
【０１００】
そして、電子マネーサーバ２は、バリューギフト分の金額をチャージする金額変更情報を生成し、携帯電話７に送信する。
携帯電話７は、この金額変更情報を受信して、バリュー処理部１７に入力する。バリュー処理部１７は、この金額変更情報を用いて、電子マネー記憶部１８に記憶されているバリュー残高をバリューギフトの金額分だけ増額してチャージする。
【０１０１】
以上の例では、ステップ１２５で空メールを送信したが、空メールを送信せずにバリューギフト通知メールから直接バリューギフト分の金額をチャージすることも可能である。
この変形例では、図１２（ａ）に示した空メール送信ボタン７１を、例えば、ＵＲＬ７２と同様のＵＲＬ、またはバリュー加算要求コマンドを生成する加算要求ボタンで代替する。
ユーザが、ＵＲＬや加算要求ボタンを押下すると、携帯電話７が電子マネーサーバ２にアクセスし、ステップ１３５と同様にしてバリューのチャージが行われる。
この変形例では、ステップ１２５、１３０を省略することができる。
【０１０２】
以上に説明した本実施の形態を展開して、以下のようにより多様なサービスを提供することもできる。
（１）ユーザの購買履歴を考慮した広告情報を配信することができる。
本実施の形態では、メタデータを用いてユーザが視聴している番組に同期した広告情報をデジタルテレビ２１に表示したが、ステップ３５（図１０）で触れたように、取引ログＤＢ６２でユーザの購買履歴を解析してユーザの購買活動に適合した広告情報を表示したり、年齢や性別などのユーザの属性に適合した広告情報を表示したりすることができる。
【０１０３】
例えば、ユーザがレストランでの外食を高頻度で行う人物であった場合には、レストランやグルメ関係の広告情報を優先的に送信する。
より具体的には、電子マネーサーバ２は、メタデータにマッチする広告情報を抽出した後、例えば、「レストラン」などの抽出キーを有する広告情報を更に絞り込む。
これによって、番組に適合すると共にユーザの購買活動に適合した広告情報をデジタルテレビ２１で表示することができる。
【０１０４】
また、ユーザが３０歳代の女性であった場合、「女性」と「３０歳代」の両方をメタデータに含む広告情報を絞り込むことにより、番組に適合し、かつ、３０歳代女性に適合した広告情報を送信することができる。
この場合、電子マネーサーバ２は、電子マネー端末８から取得した購買記録（取引ログ）を記憶する購買記録記憶手段と、メタデータを用いて検索した広告情報を、当該記憶した当該ユーザの購買記録を用いて絞り込む絞り込み手段を備えている。
【０１０５】
（２）小規模店舗の広告をテレビで提供することができる。
例えば、ある市や町などの限られた地域に、地元の小売店舗が広告を行いたい場合、通常ではテレビ放送で広告を行うことは極めて困難であり、また効果も期待できないが、広告システム１であれば、ある特定の地域に特化して「○○スーパー、開店５周年記念割引中」などといった広告情報を送信することができる。
この場合、例えば、電子マネーサーバ２は、電子マネー機能部ＩＤからユーザＤＢ６１でユーザの郵便番号や居住地域を特定し、当該地域や郵便番号を抽出キーとして有する広告情報を送信する。
【０１０６】
（３）天候などの環境の状況を用いた広告をテレビで提供することができる。
電子マネーサーバ２は、ユーザに個別に広告情報を送信することができるため、例えば、ある地域の天候が雨の場合に「○○スーパー、雨が降っているので今日は１０％引き」と、当該地域の天候に応じた地域の広告を提供することもできる。
更に、広告情報の抽出に際して、「広告時間：１０時〜１２時、地域：東京都、天候：雨天、性別：女性、年齢：３０代」といったようなより細かな条件設定を行うことも可能である。
【０１０７】
（変形例１）
図１３（ａ）は、本実施の形態の変形例１を説明するための図である。
先に説明した広告システム１では、ユーザがデジタルテレビ２１で番組を視聴するごとにメタデータサーバ２５にメタデータを要求したが、変形例１では、電子マネーサーバ２は、メタデータサーバ２５から一括してメタデータをダウンロードしておき、これを用いて広告情報を送信する。
以下に、図の括弧に示した番号に従って手順を説明する。
【０１０８】
（１）まず、電子マネーサーバ２は、これから各放送局が放送する番組のメタデータをメタデータサーバ２５から、例えば１日分を一括してダウンロードする。
（２）デジタルテレビ２１がオンして広告アプリが起動すると、広告アプリが電子マネー機能部ＩＤを電子マネーサーバ２に送信する。これによって、電子マネーサーバ２は、ユーザを特定する。
（３）次いで、ユーザが番組を選択すると、広告アプリは番組情報を電子マネーサーバ２に送信する。
【０１０９】
（４）電子マネーサーバ２は、デジタルテレビ２１から番組情報を受信すると、予めメタデータサーバ２５からダウンロードしてあるメタデータから、ユーザが視聴している番組のメタデータを特定して、当該メタデータに適合する広告情報をデジタルテレビ２１に送信する。
（５）ユーザがデジタルテレビ２１で広告情報を選択すると、広告アプリが選択情報を作成して電子マネーサーバ２に送信する。電子マネーサーバ２は、これを受信して、ユーザが選択した広告情報を当該ユーザに対応づけて登録する。
【０１１０】
（変形例２）
図１３（ｂ）は、本実施の形態の変形例２を説明するための図である。
以下に、図の括弧に示した番号に従って手順を説明する。
（１）デジタルテレビ２１がオンして広告アプリが起動すると、広告アプリが電子マネー機能部ＩＤをメタデータサーバ２５に送信する。
（２）次いで、ユーザが番組を選択すると、広告アプリは番組情報をメタデータサーバ２５に送信する。
【０１１１】
（３）メタデータサーバ２５は、デジタルテレビ２１から番組情報を受信すると、これを用いてユーザが視聴している番組のメタデータを検索し、これを電子マネー機能部ＩＤと共に電子マネーサーバ２に送信する。
（４）電子マネーサーバ２は、メタデータサーバ２５から電子マネー機能部ＩＤを受信して当該ユーザを特定すると共に、メタデータからユーザが視聴している番組のメタデータを特定して、当該メタデータに適合する広告情報をデジタルテレビ２１に送信する。
（５）ユーザがデジタルテレビ２１で広告情報を選択すると、広告アプリが選択情報を作成して電子マネーサーバ２に送信する。電子マネーサーバ２は、これを受信して、ユーザが選択した広告情報を当該ユーザに対応づけて登録する。
【０１１２】
メタデータサーバ２５の運営事業体の運用形態によっては、変形例２のような運用も考えられる。
または、電子マネー事業者が、メタデータ事業者を兼務し、各テレビ局からのメタデータの収集を電子マネーサーバ２で行うように構成することも可能である。
この場には、電子マネーサーバ２とメタデータサーバ２５を一体としたサーバ装置によって実現することも可能である。
変形例２の更なる変形として、広告アプリは、電子マネー機能部ＩＤを電子マネーサーバ２に送信し、番組情報をメタデータサーバ２５に送信するように構成することもできる。
【０１１３】
本実施の形態、及び変形例では、地上デジタル放送の番組に同期して広告情報を送信したが、これは番組をテレビ局の放送に限定するものではなく、例えば、ネットワークによる動画配信などに対して広告情報を提供することもできる。
この場合には、例えば、電子マネーサーバ２は、動画の配信元からメタデータを受信し、これに適合する広告情報を送信する。
【０１１４】
更に、ユーザがビデオなどのコンテンツのタイトルを選択して任意の時間に視聴する、所謂ビデオオンデマンドのサービスに対しても上記の広告情報送信サービスを提供することができる。
この場合には、電子マネーサーバ２は、ユーザが視聴しているコンテンツのコンテンツＩＤをデジタルテレビ２１から受信する。メタデータサーバ２５では、コンテンツＩＤに対応してメタデータを管理しており、電子マネーサーバ２は、メタデータサーバ２５にデジタルテレビ２１から受信したコンテンツＩＤを指定してメタデータを要求する。
そして、電子マネーサーバ２は、当該メタデータに適合する広告情報をデジタルテレビ２１に送信する。
【０１１５】
また、本実施の形態では、コンテンツの再生と広告情報の表示をデジタルテレビ２１で行ったが、例えば、パーソナルコンピュータ、携帯電話、ゲーム機など、コンテンツを再生する機能を有する他の端末で実施することもできる。
この場合には、例えば、パーソナルコンピュータのディスプレイを２つの表示領域に区分し、一方でコンテンツを再生し、他方で広告情報を再生するように構成することができる。
【０１１６】
更に、本実施の形態では、デジタルテレビ２１が、主画面２３と副画面２４を有していたが、主画面２３と副画面２４を別の端末で構成することも可能である。
例えば、デジタルテレビで再生している番組に同期した広告情報をユーザの携帯電話に表示させるように構成してもよい。
このように、コンテンツを再生するコンテンツ端末と、広告情報を再生する広告端末を別体とする場合には、電子マネーサーバ２は、コンテンツ端末からユーザが視聴している番組とユーザを特定する情報を取得し、当該ユーザに対応づけられている広告端末に当該番組に適合する広告情報を送信する。
【図面の簡単な説明】
【０１１７】
【図１】広告システムの構成を説明するための図である。
【図２】電子マネーシステムの構成を簡略化して図示したものである。
【図３】デジタルテレビの画面の外観を表した図である。
【図４】デジタルテレビの構成を説明するための図である。
【図５】携帯電話の構成を説明するための図である。
【図６】電子マネーサーバの構成を説明するための図である。
【図７】メタデータＤＢの構成を説明するための図である。
【図８】ユーザＤＢや取引ログＤＢの構成を説明するための図である。
【図９】広告ＤＢや登録ＤＢの構成を説明するための図である。
【図１０】広告システムが広告を表示して選択を受け付ける手順を説明するためのフローチャートである。
【図１１】バリューを還元する手順を説明するためのフローチャートである。
【図１２】携帯電話に送信する電子メールの例を説明するための図である。
【図１３】変形例を説明するための図である。
【符号の説明】
【０１１８】
１  広告システム
２  電子マネーサーバ
３  加盟
７  携帯電話
８  電子マネー端末
２１  デジタルテレビ
２２  リモコン
２３  主画面
２４  副画面
２５  メタデータサーバ
２６  Ａテレビ局
２７  Ｂテレビ局
９９  電子マネーシステム
【図１】
0005301825.tif 000002
【図２】
0005301825.tif 000003
【図３】
0005301825.tif 000004
【図４】
0005301825.tif 000005
【図５】
0005301825.tif 000006
【図６】
0005301825.tif 000007
【図７】
0005301825.tif 000008
【図８】
0005301825.tif 000009
【図９】
0005301825.tif 000010
【図１０】
0005301825.tif 000011
【図１１】
0005301825.tif 000012
【図１２】
0005301825.tif 000013
【図１３】
0005301825.tif 000014